(57)【特許請求の範囲】
【請求項１】
基板に搭載するインシュレータと、該インシュレータに保持した複数の導電性コンタクトとを有し、前記コンタクトは相手コネクタに備えた導電性の相手コンタクトに接続する接触部と、前記インシュレータに保持した保持部と、基板の導電部に接続する端子部とを有し、
さらに、前記コンタクトは、導電板からなるキャリアに前記導電板からなる前記コンタクトが繋がっている状態から前記端子部の端部を前記キャリアから切断することによって作られているコネクタにおいて、
前記端子部のそれぞれが同一形状であり、少なくとも隣接する二つの前記端子部間が連結されている少なくとも一組の前記端子部を有し、
一組の前記端子部は、前記キャリアから切断する際に残した前記キャリアの一部である連結部によって連結されていることを特徴とするコネクタ。
【請求項２】
請求項１記載のコネクタにおいて、一組の前記端子部の個々の面積は、前記連結部を含むことにより、一組の前記端子部を除く前記端子部の個々の面積よりも実質的に大きくなっていることを特徴とするコネクタ。
【請求項３】
請求項１又は２記載のコネクタにおいて、前記連結部は前記インシュレータに配列した前記端子部の配列方向における両端側の少なくとも二つの前記端子部間を連結していることを特徴とするコネクタ。
【請求項４】
請求項又１又は２記載のコネクタにおいて、前記連結部（１５ｍ又は１５ｐ）にめっきが施されていることを特徴とするコネクタ。
【請求項５】
請求項１乃至４のいずれか１項に記載のコネクタに接続する基板において、前記コネクタを搭載し前記連結部を含む一組の前記端子部及び一組の前記端子部を除く前記端子部と一対一に半田によって接続する複数の導電部を有し、前記連結部を含む一組の前記端子部に対向する前記導電部が前記連結部を含む一組の前記端子部の面積に対応するよう一組の前記端子部を除く前記端子部に対応する前記導電部の面積よりも大きい面積としたことを特徴とする基板。
【発明の詳細な説明】
【０００１】
【発明の属する技術分野】
本発明は、プリント配線基板に実装するコネクタに属し、特に、プリント配線基板のような基板に搭載する導電部に接続するコンタクトを備えているコネクタに属する。
【０００２】
【従来の技術】
図１８乃至図２２に示すように、従来のコネクタ１１は、インシュレータ１３と、このインシュレータ１３の長手方向を直交する方向で所定間隔をもって二列に配列されている複数の導電性コンタクト１５とを有している。
【０００３】
インシュレータ１３は、板形状のベース部１３ａと、このベース部１３ａから立設されている一対の保持壁部１３ｂとを有している。ベース部１３ａは、プリント配線基板のような基板に搭載される設置面１３ｄを有している。一対の保持壁部１３ｂは、設置面１３ｄとは反対のベース部１３ａの一面から、この一面上へ立設されている。
【０００４】
コンタクト１５は、一対の保持壁部１３ｄの外面で対向しインシュレータ１３に保持されている保持部１５ａと、保持部１５ａの一端に接続されて保持壁部の上面から内面へ延びている接触部１５ｂと、保持部１５ａの他端に接続されて保持壁部１３ｂの外面からベース部１３ａの設置面１３ｄとほぼ同じ面へ延びている端子部１５ｃとを有している。
【０００５】
一対の保持壁部１３ｂの間は図示しない相手コネクタと嵌合する嵌合部１３ｅとなっている。相手コネクタにはコンタクト１５に一対一に接続する複数の導電性の相手コンタクトを備えている相手嵌合部が嵌合する。
【０００６】
コネクタ１１は、図２３に示すように、薄い帯状の導電板２１５を母材としてこの導電板２１５の長手方向におけるコンタクト１５の配列間隔のピッチと同一なピッチ間隔で連続プレスによって製造される。コンタクト１５は、半田付けする端子部１５ｃがキャリア２３５に繋がった状態でインシュレータ１３に組み立てられるものである。
【０００７】
コネクタ１１は、図２４に示す基板３１に実装される。この際、端子部１５ｃは、基板３１の一面上に設けられている複数の導電性のパッド（導電部）３３に一対一に半田付けによって接続される。なお、パッド３３は端子部１５ｃに対応するようにそれぞれが同じ面積をもつものである。
【０００８】
【発明が解決しようとする課題】
しかしながら、相手側コネクタの相手嵌合部を嵌合部１３ｅへ挿入するときは、コンタクト１５の半田付けされている端子部１５ｃが嵌合時に挿抜力を受けるので、挿抜力やコンタクト１５の芯数（本数）によっては端子部１５ｃとパッド３３とを半田付けして接続した半田付け部分が破損することがあるという問題がある。
【０００９】
また、基板３１としてＦＰＣ（フレキシブル  プリンテッド  サーキット）を採用することがあり、この場合、ＦＰＣの可撓性によって、特にコネクタ１１の両端の半田付け部分が破損する恐れがある。
【００１０】
このような問題を解消する手段としては、コンタクト１５に別の部品をコネクタ１１の両端に設け、この部品を基板３１に半田付けして補強する方法もあるが、これは部品点数が増加してしまうという問題がある。
【００１１】
それ故に本発明の課題は、部品点数を減少することができ、半田付け強度を向上させることができるコネクタを提供することにある。
【００１２】
【課題を解決するための手段】
本発明によれば、基板に搭載するインシュレータと、該インシュレータに保持した複数の導電性コンタクトとを有し、前記コンタクトは相手コネクタに備えた導電性の相手コンタクトに接続する接触部と、前記インシュレータに保持した保持部と、基板の導電部に接続する端子部とを有し、さらに、前記コンタクトは、導電板からなるキャリアに前記導電板からなる前記コンタクトが繋がっている状態から前記端子部の端部を前記キャリアから切断することによって作られているコネクタにおいて、前記端子部のそれぞれが同一形状であり、少なくとも隣接する二つの前記端子部間が連結されている少なくとも一組の前記端子部を有し、一組の前記端子部は、前記キャリアから切断する際に残した前記キャリアの一部である連結部によって連結されていることを特徴とするコネクタが得られる。
【００１３】
また、本発明によれば、前記コネクタを搭載し前記連結部を含む一組の前記端子部及び一組の前記端子部を除く前記端子部と一対一に半田によって接続する複数の導電部を有し、前記連結部を含む一組の前記端子部に対向する前記導電部が前記連結部を含む一組の前記端子部の面積に対応するよう一組の前記端子部を除く前記端子部に対応する前記導電部の面積よりも大きい面積としたことを特徴とする基板が得られる。
【００１４】
【作用】
本発明のコネクタによると、キャリア切断工程で、インシュレータの両端側における端子部の面積を大きくするか、プレス工程で二つの端子部を連結する連結部を形成して、前記長手方向の両端側における二つの端子部をプリント配線基板の導電性のパッドに半田付けによって固定する。
【００１５】
【発明の実施の形態】
以下、図面を参照して、本発明に係るコネクタの実施の形態例を説明する。図１乃至図５は、本発明に係るコネクタの第１実施の形態例を示している。
【００１６】
なお、図１８乃至図２３において説明したコネクタ１１と同じ部分には同じ符号を付して以下の実施の形態例を説明する。
【００１７】
図１乃至図５を参照して、コネクタ１１は、長箱形状のインシュレータ１３と、このインシュレータ１３の長手方向を直交する方向で所定間隔をもって二列で互いに対向するように配列されている複数の導電性コンタクト１５とを有している。
【００１８】
インシュレータ１３は、長板形状のベース部１３ａと、このベース部１３ａの長手方向へ、かつベース部１３ａ上へ立設されている一対の保持壁部１３ｂとを有している。ベース部１３ａは、図示しないプリント配線基板のような基板に搭載される設置面１３ｄを有している。一対の保持壁部１３ｂは、設置面１３ｄとは反対のベース部１３ａの一面から、その一面上へ立設されている。
【００１９】
コンタクト１５は、一対の保持壁部１３ｂの外面で保持壁部１３ｂのそれぞれに沿って対向してインシュレータ１３に保持されている保持部１５ａと、保持部１５ａの一端に接続されて保持壁部１３ｂの上面から延びて保持壁部１３ｂの内面へと延びている接触部１５ｂと、保持部１５ａの他端に接続されて保持壁部１３ｂの外面下からベース部１３ａの設置面１３ｄとほぼ同じ面へ延びている端子部１５ｃ，１５ｄとを有している。
【００２０】
一対の保持壁部１３ｂの間は、図示しない相手コネクタと嵌合する嵌合部１３ｅとなっている。また、コネクタ１１には、複数のコンタクト１５に一対一に接続する複数の導電性の相手コンタクトを備えている相手嵌合部（図示せず）が嵌合する。
【００２１】
コンタクト１１の端子部１５ｃ，１５ｄのそれぞれは同一形状であり、少なくとも隣接する一組の端子部１５ｄ間が連結部１５ｍにより連結されている。連結部１５ｍは、後述するキャリアの一部を用いている。一組の端子部１５ｄは端子部１５ｄの端部から延設している連結部１５ｍを含むことから、一組の端子部１５ｄの個々の面積が、一組の端子部１５ｄを除く端子部１５ｃの個々の面積よりも実質的に大きくなる。即ち、図１及び図４に示すコンタクト１５では、インシュレータ１３の長手方向における両端側に配列されて隣接する各二つの端子部１５ｄからなる一組の端子部１５ｄ間が連結部１５ｍによって連結されている。
【００２２】
なお、この実施の形態例におけるコネクタ１１においては、連結部１５ｍがインシュレータ１３に配列した端子部１５ｃ，１５ｄの配列方向における両端側で二つの端子部１５ｄ間を連結して一組としているが、端子部１５ｄは二つに限らず二つ以上の端子部１５ｄを連結部１５ｍによって連結してもよい。
【００２３】
ところで、コンタクト１０は、図６及び図７に示すように、薄い帯状の導電板２１を母材として、この導電板２１の長手方向における複数のコンタクト１５における配列間隔のピッチと同一なピッチ間隔で連続してプレスすることによって端子部１５ｃ，１５ｄの端部が導電板２１であるキャリア２３に繋がった状態で製造される。
【００２４】
コンタクト１５は、半田付けが施される端子部１５ｃ，１５ｄがキャリア２３に繋がった状態でインシュレータ１３に組み立てられるものである。キャリア２３からコンタクト１５を切り離すための切断時には、長手方向の両端側のコンタクト１５を中間部分に位置している端子部１５ｃよりも端子部１５ｄの面積が実質的に大きくなるように、端子部１５ｄの切断位置を変更している。
【００２５】
この場合、端子部１５ｄの端部に繋がっているキャリア２３の一部を残して連結部１５ｍとすることにより、両端側における各二つの端子部１５ｄ（実施の形態例では合計四つの端子部１５ｄがある）の面積が中間部分のコンタクト１５の端子部１５ｃよりも面積が大きくなるように端子部１５ｄの切断位置を変更している。要するに、図７に示したように、両端側の二つの端子部１５ｄを連結するように切断する。
【００２６】
図５に示したように、このコネクタ１１は、コンタクト１５の保持部１５ａと接触部１５ｂとによって保持壁部１３ｂを挟むようにインシュレータ１３の保持壁部１３ｂに圧入した状態で、図７に示した破線部分Ａ，Ｂを切断して、図４に示したコネクタ１１の構成とする。この場合、二列のコンタクト１５からなるコネクタ１１の両端側における各二つの端子部１５ｄの合計八つの端子部１５ｄがそれぞれ二つの端子部１５ｄづつ連結部１５ｍの部分で連結されている。
【００２７】
なお、導電板２１のキャリア２３の幅方向における一辺側には、図６に示したように複数の貫通孔２５が形成されている。図７に示されるように、貫通孔２５は、両端側における端子部１５ｄの連結部１５ｍの外側に位置している。切断したときには、連結部１５ｍ面にめっきされた部分１５ｎが構成されるようにしている。この場合のプレスは、図６に示されるように、同じ形状がピッチ方向に並ぶ通常の連続プレスでよい。
【００２８】
このコネクタ１１に適したプリント配線基板のような基板とこの基板に実装されるコネクタ１１とを図８に示す。基板３１の一面には、両端の半田付けして固定する両端側における端子部１５ｄの形状に合わせて大きくし形成したパッド（導電部）３２と、その他の端子部１５ｃの形状に合わせたパッド３３とを有している。その他のパッド３３は、中間部分の端子部１５ｃとほぼ同じ幅寸法の大きさに成っている。したがって、大きな形状としたパッド３２は、これらのパッド３２の部分が面積も大きくなるため、端子部１５ｄ及び連結部１５ｍとの半田付けによる固定強度を向上させる役目を果たす。
【００２９】
コネクタ１１は、図８に示した基板３１に実装した後、端子部１５ｃ，１５ｄは基板３１の一面上に設けられている複数の導電性のパッド３２，３３に一対一に半田付けによって接続される。端子部１５ｃ，１５ｄと基板３１のパッド３２，３３とが半田によって相互に接続されると、特に、端子部１５ｄとパッド３２１との固定面積が大きくなるので、インシュレータ１３を基板３１に固定する際の補強部材としても兼用できる。
【００３０】
図９乃至図１３は、本発明のコネクタにおける第２実施の形態例を示している。なお、図１乃至５に示した第１実施の形態例におけるコネクタ１１と同じ部分は同じ符号を付して説明を省略する。
【００３１】
第２実施の形態例においては、インシュレータ１３に組み付けたコンタクト１５のピッチと同一ピッチで連続プレスによって製造される。コンタクト１５は半田付けされる端子部１５ｃが、図１４及び図１５に示すように、キャリア２３１に繋がった状態でインシュレータ１３に組み立てられるものである。組み立て後には、半田付けして固定される端子部１５ｃをキャリア２３１から切り離して製造される。
【００３２】
この例の場合のプレスは、コンタクト１５の芯数に合わせてインシュレータ１３の両端側における少なくとも二つの端子部１５ｄが半田付けのための端子部１５ｄで連結するようにプレス工程で連結部１５ｐを構成する。このプレス工程はたとえば、ソレノイドを用いたプレス製法で製造される。
【００３３】
なお、図１３は、コンタクト１５をインシュレータ１３に圧入した状態を示しており、図１５に示した破線部分Ａ，Ｂで切断して図１２のコネクタ１１の構成とする。この場合、二列のコンタクト１５からなるコネクタ１１であり、両端側における各二つの端子部１５ｄの合計で八つの端子部１５ｄがそれぞれ二つの端子部１５ｄづつ連結部１５ｐの部分で連結される構成である。
【００３４】
また、図１５に示されるように、両端側における二つの端子部１５ｄを接続している連結部１５ｐの外側には、貫通孔２７を形成しており、切断したときには、端子部１５ｄ上にめっきされた部分１５ｒが構成されるようにしている。
【００３５】
即ち、コネクタ１１の少なくとも二つの端子部１５ｄは、互いに連結した連結部１５ｐで構成され、中間部分の端子部１５ｃと同じ切断箇所でのせん断によって、両端の二つの端子部１５ｄが連結する。
【００３６】
このコネクタ１１に適した基板を図１６に示した。基板３１に設けたパッド３２１，３３の形状は、両端側で半田付けして固定する二つの端子部１５ｄの形状に合わせて面積が大きくなっている。このように、両端側のパッド３２１は大きい面積の部分で連結部１５ｐによって連結されている一組の端子部１５ｄを接続することから接続のための面積も大きくなるため、半田付けによる固定強度が向上する。また、両端側の端子部１５ｄの寸法は、中間部分の端子部１５ｃと同じ寸法で良いので、図１６の上下方向にコネクタ１１が大きくならない。
【００３７】
図１７は、長手方向の両端が二つの端子部１５ｄに跨るように基板３１のパッド３２２を大きく構成した基板３１を示している。即ち、複数のコンタクト１０を有するコネクタ１１を表面実装で半田付け接続する基板３１であり、長手方向の両端における少なくとも二つの端子部１５ｄに跨るように基板３１のパッド３２２を大きくしている。
【００３８】
この例の場合、コンタクト１５の芯数は、必要芯数に四芯分加えて構成する。この構成によって、図１８至図２２に示したような従来のコネクタ１１であっても、基板の両端のパッド３２２が大きいと、この部分でのコンタクト１５が二本となるため、半田付け強度が向上する。
【００３９】
以上説明したように、複数のコンタクト１５の二本を用いて、半田付けされる例の場合、両端側の線路はコンタクト１５の二端子分となるため、コネクタ１１の電流容量も二倍となり、電源などの大電流用の端子部１５ｄとして使うことができる。
【００４０】
【発明の効果】
以上説明したように、本発明のコネクタ、及びコネクタに用いる基板によれば、基板の導電部と接続しかつインシュレータを基板に固定する際の補強部材として兼用させるように、端子部のそれぞれが同一形状であり、少なくとも隣接する一組の端子部間をキャリアの切断時に残したキャリアの一部である連結部により連結しており、連結部を含む一組の端子部の個々の面積が、一組の端子部を除く端子部の個々の面積よりも実質的に大きくなるので、基板の導電部に強固に半田付けでき、しかも別の部品を増加することなく固定強度を向上することができる。
【００４１】
また、端子部及び連結部にめっきされた部分が多く構成すれば、さらに半田付け強度が向上する。したがって、コネクタの幅寸法も大きくすることがない。
【００４２】
また、コネクタの芯数を両端に増し、長手方向の両端の少なくとも二つの端子部にまたがるように基板のパッドを大きくすれば、半田付け強度が向上する。
【００４３】
さらに、複数のコンタクトが二本となるため、半田付けされる例の場合、両側の端子部の線路はコンタクトの二端子分となるため、コネクタの電流容量も二倍とり、電源などの大電流用の端子部として使うことができる。
【図面の簡単な説明】
【図１】  本発明に係るコネクタの第１実施の形態例を示す平面図である。
【図２】  図１に示したコネクタの正面図である。
【図３】  図１に示したコネクタの側面図である。
【図４】  図１に示したコネクタの背面図である。
【図５】  図１に示したコネクタの縦断面で拡大して示した断面図である。
【図６】  図１に示したインシュレータにキャリアに繋がっているコンタクトを圧入した状態を示す背面図である。
【図７】  図６の要部を拡大して示した背面図である。
【図８】  図１に示したコネクタに適した基板を示す平面図である。
【図９】  本発明に係るコネクタの第２実施の形態例を示す平面図である。
【図１０】  図９に示したコネクタの正面図である。
【図１１】  図９に示したコネクタの側面図である。
【図１２】  図９に示したコネクタの背面図である。
【図１３】  図９に示したコネクタの縦断面で拡大して示した断面図である。
【図１４】  図９に示したインシュレータにキャリアに繋がっているコンタクトを圧入した状態を示す背面図である。
【図１５】  図１４の要部を拡大して示した背面図である。
【図１６】  図９に示したコネクタに適した基板を示す平面図である。
【図１７】  図１６に示した基板のパッドにおける変形例を示した平面図である。
【図１８】  従来のコネクタを示す平面図である。
【図１９】  図１８に示したコネクタの正面図である。
【図２０】  図１８に示したコネクタの側面図である。
【図２１】  図１８に示したコネクタの背面図である。
【図２２】  図１８に示したコネクタの縦断面で拡大して示した断面図である。
【図２３】  図１８に示した従来のコネクタを示し、インシュレータにキャリアに接続したコンタクトを圧入した状態を示す背面図である。
【図２４】  図１８に示したコネクタに搭載する基板を示す平面図である。
【符号の説明】
１１    コネクタ
１３    インシュレータ
１５    コンタクト
１５ｂ    接触部
１５ｃ，１５ｄ    端子部
１５ｍ，１５ｐ    連結部
２３，２３１，２３５    キャリア
３１    基板
３２，３２１，３２２    パッド（導電部）
【図１】
0003734217.tif 000002
【図２】
0003734217.tif 000003
【図３】
0003734217.tif 000004
【図４】
0003734217.tif 000005
【図５】
0003734217.tif 000006
【図６】
0003734217.tif 000007
【図７】
0003734217.tif 000008
【図８】
0003734217.tif 000009
【図９】
0003734217.tif 000010
【図１０】
0003734217.tif 000011
【図１１】
0003734217.tif 000012
【図１２】
0003734217.tif 000013
【図１３】
0003734217.tif 000014
【図１４】
0003734217.tif 000015
【図１５】
0003734217.tif 000016
【図１６】
0003734217.tif 000017
【図１７】
0003734217.tif 000018
【図１８】
0003734217.tif 000019
【図１９】
0003734217.tif 000020
【図２０】
0003734217.tif 000021
【図２１】
0003734217.tif 000022
【図２２】
0003734217.tif 000023
【図２３】
0003734217.tif 000024
【図２４】
0003734217.tif 000025